(57)【要約】【課題】ＩＦがゼロであるか否かにかかわらず、非複素 ＡＤＣの効率的な利用が全ての受信モードに対して可能である受信機を提供すること。【解決手段】低ＩＦまたはゼロＩＦモードの何れかで動作するように設定可能な無線受信機は、中間周波数で同位相（Ｉ）および直交位相（Ｑ）信号を生成するための直交位相ダウンコンバータ（１０８，１１０，１１２，１１４）およびイメージ除去フィルタリングを行うための複素フィルタ（２０２）を有する。フィルタ（２０２）の一方の出力（Ｑ）の処理は終結され、他方の出力（Ｉ）は、非複素ＡＤＣ（２０６）に渡される。ＡＤＣからの出力は、デジタルで処理され、次いで、直交位相信号発生器（２１２，２１４）は、直交位相に関連したＩＦ信号を生成する。これは、ベースバンド信号への変換のためのダウンコンバータ（２１６，２１８）に渡される。ＡＤ変換およびチャンネル・フィルタリングが非複素信号に対してＩＦで行われることを可能にすることによって、重大な電力削減が、可能となる。更に、受信機のフレキシビリティは、高められ、それが低ＩＦとゼロＩＦ両方のモードで、効率的に動作することを可能にする。【選択図】図２
2004514315.tif 000002
【特許請求の範囲】
【請求項１】
無線周波数信号のための入力と、前記無線周波数信号を中間周波数に変換し、かつ前記中間周波信号の同位相および直交位相バージョンを生成するための直交位相ダウンーコンバージョン手段と、フィルタ処理された同位相および直交位相信号を提供するために前記同位相および直交位相信号に作用する複素フィルタリング手段と、前記同位相および直交位相信号の１つのみをデジタル化するためのＡＤ変換手段と、前記デジタル化された信号にデジタル信号処理を行うための手段と、デジタルの同位相および直交位相信号を生成するために前記処理された信号に作用する信号生成手段とを有する、受信機。
【請求項２】
前記複素フィルタリング手段が、受動多相（ｐｏｌｙｐｈａｓｅ）フィルタを有することを特徴とする、請求項１に記載の受信機。
【請求項３】
前記ＡＤ変換手段がシグマ‐デルタＡＤＣを有することを特徴とする、請求項１または２に記載の受信機。
【請求項４】
前記ＡＤ変換手段が複数の異なるクロック・スピードで動作可能であることを特徴とする、請求項１から３の何れか１つに記載の受信機。
【請求項５】
前記中間周波数が、低またはゼロの何れかとすることができることを特徴とする、請求項１から４の何れか１つに記載の受信機。
【請求項６】
前記無線周波数信号が、セルラ方式通信標準に従い、かつ前記低中間周波数が、前記標準で規定された前記チャネル間隔の半分であることを特徴とする、請求項５に記載の受信機。
【請求項７】
デローテーション（ｄｅｒｏｔａｔｉｏｎ）手段が、前記デジタル同位相および直交位相信号をベースバンドに変換するために設けられていることを特徴とする、請求項１から６の何れか１つに記載の受信機。
【請求項８】
前記信号生成手段が、第１および第２のフィルタを有し、かつ前記フィルタの各々を通過した信号に適用される前記位相シフトが、９０°だけ異なることを特徴とする、請求項１から７の何れか１つに記載の受信機。
【請求項９】
前記フィルタが、線形位相特性を有することを特徴とする、請求項８に記載の受信機。
【請求項１０】
デジタル信号処理を行うための前記手段および前記信号生成手段の前記組合せが、第１および第２のフィルタによって提供されることを特徴とする、請求項１から７の何れか１つに記載の受信機。
【請求項１１】
請求項１から１０の何れか１つに記載の無線受信機を有する集積回路。
【発明の詳細な説明】
【発明が属する技術分野】
【０００１】
本発明は、特に、ＧＳＭおよびＵＭＴＳのようなデジタル通信システムに適用される（しかしこれに限定されない）無線受信機と、このような無線受信機を含む集積回路とに関する。
【従来の技術】
【０００２】
ニア・ゼロＩＦ（ｎｅａｒ−ｚｅｒｏ−ＩＦ）受信機（多相（ｐｏｌｙｐｈａｓｅ）受信機としても知られている）は、ＧＳＭ（Ｇｌｏｂａｌ Ｓｙｓｔｅｍ ｆｏｒ Ｍｏｂｉｌｅ ｃｏｍｍｕｎｉｃａｔｉｏｎ）およびＤＥＣＴ（Ｄｉｇｉｔａｌ Ｅｎｈａｎｃｅｄ Ｃｏｒｄｌｅｓｓ Ｔｅｌｅｃｏｍｍｕｎｉｃａｔｉｏｎｓ）のような無線通信システム用として公知である。このような受信機は、従来のスーパーヘテロダイン（ｓｕｐｅｒｈｅｔ）受信機と同様の性能を提供するが、オフチップ・チャネル・フィルタを必要としないため、集積化するのが極めて容易であるという利点を有する。公知の多相受信機の一具体例は、欧州特許出願第０７９７２９２号に開示されている。
【０００３】
公知のゼロＩＦ受信機と比較して、多相受信機は、ＤＣオフセットと二次の相互変調積の生成に関する問題を除去することによって、性能を実質的に向上させている。多相受信機の重要な機能は、複素信号処理が、フロントエンドのダウンコンバータの出力と復調器への入力との間でＩＦ信号に行われるので、所望信号のいかなるイメージも適切に抑制させることが保証されることである。
【０００４】
低ＩＦ受信機に関する最近の変形例の場合、ＡＤ変換（ａｎａｌｏｇｕｅ−ｔｏ−ｄｉｇｉｔａｌ ｃｏｎｖｅｒｓｉｏｎ）が、フロントエンドのダウンコンバータの直後に行われる。このことは、チャンネル・フィルタリングをデジタル領域内で完全に行うことを可能にした。このような受信機は、国際特許出願ＷＯ００／２２７３５に開示されている。この変更例は、ＡＤＣ（Ａｎａｌｏｇｕｅ−ｔｏ−Ｄｉｇｉｔａｌ Ｃｏｎｖｅｒｔｅｒ）からダイナミックレンジ能力の増加を必要としたが、受信機のチャネル・フィルタ特性をソフトウェアで変化させることを可能とすることにより、フレキシビリティを拡大させた。これによってマルチモード受信機の設計が非常に容易になった。
【０００５】
ＧＳＭシステムに使用される公知のこのような受信機の実施例が、図１に示されている。無線信号は、アンテナ１０２によって受信され、バンドパス・フィルタ１０４によってフィルタ処理が行われ、そして低ノイズ増幅器１０６によって増幅される。信号は、次いで、１００ｋＨｚ（ＧＳＭチャネル間隔の半分）のＩＦにおいて同位相（Ｉ）および直交位相（Ｑ）の信号を生成するために、第１および第２のミキサ１０８、１１０によって、ミキシングされる。これらのミキサには、ＬＯ（Ｌｏｃａｌ Ｏｓｃｉｌｌａｔｏｒ）１１２から、（第１のミキサ１０８にゼロ位相シフトの信号を提供し、かつ第２のミキサ１１０に９０°位相シフトの信号を提供する）位相シフト・ブロック１１４を介して、これらのそれぞれのＬＯポートに信号が供給される。
【０００６】
ＩおよびＱ信号は、ハイパス・フィルタ１１６によってフィルタ処理が行われ、次いで、それらは、多相バンドパス・ループ・フィルタが組み込まれている複素シグマ‐デルタ（ｓｉｇｍａ−ｄｅｌｔａ） ＡＤＣを有するデジタル化ブロック１１８に供給される。このようなＡＤＣは、ＷＯ００／２２７３５に開示されている。デジタル化ブロック１１８からのＩおよびＱ出力は、１３ＭＨｚのビット・レートでシングル・ビットのデジタル信号を有する。多相バンドパス・フィルタリングおよびデシメーション（ｄｅｃｉｍａｔｉｏｎ）・ブロック１２０は、２４分の１にビット・レートを減らすので、このブロックからの出力信号は、５４１．６６７ｋＨｚのビット・レートで１４−ビットの信号を有する。更なるフィルタリングおよびデシメーション・ブロック１２２により、ベースバンドの信号についてローパス・フィルタリングおよびデローテーション（ｄｅｒｏｔａｔｉｏｎ）処理が行われ、２７０．８３３ｋＨｚのＧＳＭビット・レートで１５−ビットの出力信号が得られる。次いで、この信号は、等化（ｅｑｕｑｌｉｓａｔｉｏｎ）および復調ブロック（ＥＱ）１２４によって処理されて、その後、受信機の残り部分のデジタル信号処理回路に出力１２６として提供される。
【０００７】
この後者の変更例は、マルチモード受信機には好ましいが、（ＷＯ００／２２７３５で開示されているシグマ‐デルタ ＡＤＣに用いられているような）複素ノイズ・シェーピングを有する複素ＡＤＣが必要であることは、必ずしも望ましいことではない。例えば、モードを変える時に、ＡＤＣの帯域幅およびそのクロック・スピードを、変更させなければならない場合、複素ＡＤＣは、設計がより困難となる。このことは、要求された帯域幅およびクロック・スピードが、変換効率の観点から現時点での最高の技術水準で実現できる限界である場合、特に当てはまる。更なる考察として、１つ以上の受信モードで、ＩＦがゼロにセットされる場合、（それが実際には低ＩＦ受信機にとってのみ望ましいので）複素ＡＤＣの必要性は実質的に減少する。
【課題を解決するための手段】
【０００８】
本発明の目的は、したがって、ＩＦがゼロであるか否かにかかわらず、全ての受信モードに対して非複素 ＡＤＣの効率的な利用が可能である受信機を提供することである。
【０００９】
本発明によると、無線周波数信号のための入力と、無線周波数信号を中間周波数に変換し、かつ中間周波信号の同位相および直交位相バージョンを生成するための直交位相ダウン−コンバージョン（ｃｏｎｖｅｒｓｉｏｎ）手段と、フィルタ処理された同位相および直交位相信号を提供するために同位相および直交位相信号に作用するための複素フィルタリング手段と、同位相および直交位相信号の１つだけをデジタル化するためのＡＤ変換手段と、デジタル化された信号にデジタル信号処理を行うための手段と、デジタルの同位相および直交位相信号を生成するために処理された信号に作用するための信号生成手段とを有する、受信機が、提供される。
【００１０】
同位相および直交位相ＩＦ信号の１つのみを量子化することによって、複素（または多相）ＡＤＣおよび複素チャネル・フィルタが、不必要となる。このことにより、消費電力をかなり削減することが可能となる。このような受信機は、特に、１つのモードが低ＩＦを使用し、かつ別のモードがゼロＩＦを使用しているような、マルチモード動作に適している。何故ならば、クロック・スピードおよびノイズ・シェーピング・プロファイルが異なる範囲で動作する非複素ＡＤＣの設計が、それらの複素等価物の設計よりはるかにシンプルであるからである。
【００１１】
受信機フロントエンドからのＩＦ出力の内ＩまたはＱ成分しか量子化しないことによって、単一のＡＤＣの量子化帯域幅をゼロ周波数で折り返すようにして、所望信号帯域幅を効果的に２倍にさせることが出来る。しかしながら、この増加した帯域幅に起因してクロック・スピードを増加させねばならないにもかかわらず、単一のＡＤＣしか使用しないことにより、全体的な消費電力は、減少するであろう。
【００１２】
非複素ＡＤＣによりイメージが除去されることが無いため、このＡＤＣの前には、複素フィルタが必要となる。このようなフィルタは、受動型であるので、何ら余分の電力も消費しない受動多相フィルタとすることができる。
【００１３】
好適な実施例の場合、ＡＤＣは、シグマ‐デルタＡＤＣである。別の好適な実施例の場合、デジタル同位相および直交位相信号は、ベースバンドにそれらの周波数を変換するためにデローテート（ｄｅｒｏｔａｔｅ）される。
【００１４】
本発明の別の実施例の場合、受信機は集積回路にて実施される。
【００１５】
本発明は、イメージ除去フィルタリングを、サンプリングおよびデジタル化の前にＩＦ信号に行うならば、低ＩＦ受信機での非複素ＡＤＣおよびチャンネル・フィルタの使用が可能になるという（従来技術にはない）認識に基づく。
【発明を実施するための形態】
【００１６】
次に、本発明の実施例を、具体例として、添付の図面を用いて説明する。
【００１７】
図面において、同じ参照番号は、一致する機能を示すために使用されている。
【００１８】
図２は、本発明に従って製作された低ＩＦ受信機アーキテクチャのＧＳＭ実施例のブロック図である。フロントエンドは、入って来るＲＦ信号をチャネル間隔の半分の低ＩＦ（ＧＳＭの場合チャネル間隔は２００ｋＨｚであるので、このＩＦは、１００ｋＨｚである）にミキシングする直交位相ダウンコンバータを使用する。受信機のこの部分は、本質的に図１で上述されたものと同じであるので、再度記載することはしない。
【００１９】
ミキサ１０８、１１０によるダウンコンバージョン（ｄｏｗｎｃｏｎｖｅｒｓｉｏｎ）の後、（ＩおよびＱ信号を有する）複素低ＩＦ信号が、所望信号のイメージ・バンド内（すなわち、−２００ｋＨｚ〜０Ｈｚ）に存在する如何なる干渉も除去する、受動多相フィルタであるイメージ除去フィルタ（ＩＲ）２０２に渡される。このようなフィルタは、公知であり、例えば、論文、Ｍ Ｊ Ｇｉｎｇｅｌｌによる 「シーケンス非対称多相ネットワークを使用した単側波帯変調（Ｓｉｎｇｌｅ ｓｉｄｅｂａｎｄ ｍｏｄｕｌａｔｉｏｎ ｕｓｉｎｇ ｓｅｑｕｅｎｃｅ ａｓｙｍｍｅｔｒｉｃ ｐｏｌｙｐｈａｓｅ ｎｅｔｗｏｒｋｓ）」（Ｅｌｅｃｔｒｉｃ Ｃｏｍｍｕｎｉｃａｔｉｏｎｓ， Ｎｏ ４８， １９７３）に開示されている。直接シリコン上に集積化することができる受動多相フィルタは、ＲＣ回路網により容易に実現することが出来る。イメージ除去フィルタ２０２は、所望信号を、他の全ての干渉と同様に、０Ｈｚから２００ｋＨｚのバンドに渡す。しかしながら、いかなるイメージ干渉も除去することによって、受信機のその後の全てのフィルタを「実」にする（すなわち、ＩおよびＱ信号の何れか一方にしか作用しない）ことが可能になる。適切な多相フィルタの周波数応答の具体例は、図３に示される。
【００２０】
イメージ除去フィルタ２０２の後、信号のＱ成分の処理は、終了する。一方、Ｉ成分は、ハイパス・フィルタ２０４を介して、単一の、２ポートのシグマ‐デルタ（ΣΔ）変調器２０６に、与えられ、処理は続く。信号のＱ成分を処理しないことによる効果は、所望信号エネルギーの半分を取り込み、かつ周波数スペクトルの負の側にそれを折り返すことである。したがって、（シグマ‐デルタ変調器２０６のノイズ・スペクトルと同じように）信号は、ゼロ周波数に関して対称となり、かつ４００ｋＨｚの帯域幅を占める。このような信号は、変調器２０６の変換効率を最大にする。
【００２１】
ハイパス・フィルタ２０４は、先行するフロントエンドの回路によって生成されたＤＣオフセットを除去する。ＧＳＭアプリケーションのための多相受信機の研究により、フィルタ２０４の適切なカットオフ周波数が、６ｋＨｚであることが判明した。この周波数は、所望信号の重大な低下をもたらすことなく、受信機に、大信号のオーバー・ドライブ効果からの充分な回復時間を与える。
【００２２】
要求されたノイズ・シェーピングを得るために、変調器２０６の次数およびそのクロック・スピードを、適切に選択しなければならない。最小入力信号レベル（現時点での最高の技術水準で、−１０８ｄＢｍ）で、ＢＥＲ（ビット・エラー・レート）に関してＧＳＭ仕様を満たすために、信号対量子化ノイズ比は、４００ｋＨｚの帯域幅（すなわち、−２００ｋＨｚ〜＋２００ｋＨｚ）で約１７ｄＢでなければならない。この数値は、全体的なＳＮ比が７ｄＢであること、および量子化ノイズ・レベルがフロントエンドのノイズより１０ｄＢ低いことの必要性から導かれる。ＡＤＣへの最も大きい入力信号は、−２３ｄＢｍでのブロッキング干渉である。
【００２３】
変調器２０６からのデジタル出力信号は、デジタル・チャネル・フィルタ２０８によってフィルタ処理される。このフィルタは、（典型的に、ＧＳＭのビット・レートの約４８倍である）シグマ‐デルタ変調器２０６のクロック・レートに等しいサンプリング・レートで動作する。これは、（両側周波数軸で見た場合、幅４００ｋＨｚのバンドパス応答に似ている）約２００ｋＨｚのカットオフ周波数を有するローパス周波数応答を有する。このような周波数応答は、図４に例示されている。フィルタ２０８は、イメージ干渉（イメージ除去フィルタ２０２によって取り扱われる低側の隣接チャネルでの干渉）を除いて、受信機入力に到着する全ての干渉を減らし、かつ変調器２０６によって生成される広帯域の量子化ノイズの大部分を減らすと言う二重の役割を果たす。
フィルタ２０８の出力の信号の典型的周波数スペクトルは、図５に示されている。実線で示される所望信号の２半分は、ハイパス・フィルタ２０４によって生成されるホールによって隔てられていて、かつゼロ周波数の両側に位置する。破線で示されるイメージ干渉の残留は、所望信号と同じ周波数空間を占めるが、そのレベルは、イメージ除去フィルタ２０２を適用することによる減衰のため問題にならないほど低い。−２００ｋＨｚ〜２００ｋＨｚのバンドの外側に、一点鎖線で示される一部の残留シグマ‐デルタ・ノイズおよび大きい干渉に起因する電力も、存在するが、このような信号は、次のフィルタリングによって容易に除去することができる。
【００２４】
一旦、信号の高周波成分がチャネル・フィルタ２０８によって除去されると、ＩＦ信号は、ダウン・サンプリング・ブロック（ＤＳ）２１０によって、ＧＳＭビット・レートの約４倍のサンプリング・レートに、ダウン・サンプリング（ｄｏｗｎ−ｓａｍｐｌｅｄ）させる（すなわち、デシメイト（ｄｅｃｉｍａｔｅｄ）させる）ことができる。このことは、所望信号のＱ成分の再構成のために必要な処理リソースおよび消費電力を減らす。所望信号を再び複素化することは、低ＩＦからゼロ周波数までのその完全な周波数変換（またはデローテーション（ｄｅ−ｒｏｔａｔｉｏｎ））、およびデータビットを得るためのその次の復調を容易にするために、必要である。
【００２５】
したがって、ダウン・サンプリングの後、信号は、それを一対のＦＩＲフィルタに渡すことにより、複素化される。ここで、第１のフィルタ２１２は、線形位相ローパス応答を有し、かつ第２のフィルタ２１４は、通過帯域の中央の狭いノッチの生成、および負の周波数に対して＋９０°で、かつ正の周波数に対して−９０°である追加の９０°位相シフトを挿入することを除いて、同じ応答を有している。第２のフィルタ２１４は、新規のＱ成分を作成する。これは、ノッチの幅が、そのインパルス応答の長さを決定する、タイム・バウンドされた（ｔｉｍｅ−ｂｏｕｎｄｅｄ）ヒルベルト変換と等価物を実行する。先行するハイパス・フィルタ２０４によって生成されたノッチの幅より僅かに狭いまたはそれに等しい幅が、通常、適切であろう。
【００２６】
図６は、８ｋＨｚのホール幅を有し、２７６のタップを有するＦＩＲフィルタである、適切な第２のフィルタ２１４の典型的周波数応答を示す。第１のフィルタ２１２の主要機能は、Ｉ成分の経路に第２のフィルタ２１４によってＱ成分の経路内に挿入されたそれと同じ時間遅延を正確に挿入することである。両方のフィルタ２１２、２１４のインパルス応答は、正確に同じ長さでなければならない。第１および第２のフィルタは、チャネル・フィルタ２０８の後においても、所望信号の帯域幅の外側に残存しているいかなる干渉も更に削除するように設計することができる。これらのカットオフ周波数を変えることは、実質的にフィルタ２１２、２１４の必要な長さに何の効果も与えず、かつ、事実上コストの発生無しに追加のフィルタリングを導入することを可能にする。カットオフ周波数の選択は、フィルタ２１２、２１４が必要とするサンプリング・レートに若干関連するが、これが、いかなる重大な問題も発生させない場合、このことにより提供されるフィルタリングにより、ベースバンド内で更にフィルタリングを必要とすることが軽減される。
【００２７】
所望信号のＱ成分をリストアすることは、正の側にその周波数スペクトルの負の半分を折り返し、これによって、帯域幅が２００ｋＨｚに減少する効果を有する。信号内の全電力は、したがって、イメージ除去フィルタ２０２への入力で見られるオリジナルの値に戻る。電力密度は、６ｄＢ増加する。フィルタ２１２、２１４の組み合わせられた出力の複素周波数応答は、図７に示される。
【００２８】
一旦、Ｑ成分が作成されると、ＩおよびＱ信号は、デローテーション・ブロック２１６に渡される。ここで、信号源２１８によって提供される−１００ｋＨｚの複素音との複素乗算を行うことによって、これらは、ベースバンドにデローテートされる。このデローテーションにより所望信号がゼロの中央の周波数にシフトされる。
【００２９】
図２に示される具体的な実施例の場合、ＩおよびＱ信号は、カットオフ周波数が８０ｋＨｚの各ローパス・ベースバンド・フィルタ２２０によってフィルタ処理される。フィルタ２２０の出力の信号の典型的周波数スペクトルが、図８に示されている。実線は所望信号を示し、破線は残留イメージ干渉を示す。
【００３０】
次いで、信号は、等化および復調ブロック（ＥＱ）２２２によって処理され、そして受信機の残り部分のデジタル信号処理回路に出力１２６として提供される。
【００３１】
本発明によるアーキテクチャが正しく機能することを確認するために、システムシミュレーションが、実行された。例えば、図９は、周知のＴＵ５０チャンネル・モデル（５０ｋｍ／ｈの最大速度を伴う典型的都市のプロファイル）を使用して、所望信号電力Ｓ（ｄＢｍ単位）の範囲に対するＢＥＲを決定するシミュレーションの結果のグラフである。新規の受信機アーキテクチャに対してシミュレートされた結果は、実線で示され、全体として複素信号処理を使用した、ベンチマーク・多相受信機に対する結果は、破線で示されている。新規の受信機の感度が、少なくともベンチマーク・多相受信機と同程度以上に良いことは、明白である。他のシミュレーションにより、新規のアーキテクチャが、隣接チャネルとより大きい周波数オフセットでのそれら両方に対して、要求された選択性を提供することができることも確認された。
【００３２】
上述の実施例の変更例の場合、チャネル・フィルタ２０８および複素信号再構成フィルタ２１２、２１４は、２つのＦＩＲフィルタを有する単一のフィルタリング・ブロックに組み合わせられている。この組み合わせられたフィルタリング・ブロックは、シグマ‐デルタ変調器２０６の出力のビット・ストリーム性質を利用することができるので、このような実施例は、必要なディジタルハードウエア・リソースを少なくすることができる。実質上、チャネル・フィルタ２０８およびダウン・サンプリング・ブロック２１０の機能は、フィルタ２１２、２１４内に組み込まれる。
【００３３】
フィルタ２１２、２１４の必要な周波数応答を決定するために、これらのフィルタを、その一方が他方のヒルベルト変換である２つの実フィルタとしてではなく、ゼロ周波数に関して非対称応答を有する単一の複素フィルタと考える方が、よりシンプルである。標準デジタル総合ツールを使用すると、必要な帯域幅および選択性を有する、単一の実ＦＩＲフィルタを設計することができる。この場合、複素応答を得ることは、＋１００ｋＨｚの周波数シフトを適用すると言う直裁な事項となる。実および虚インパルス応答は、シフトされた周波数応答に離散的逆フーリエ変換を行うことによって得ることができる。
【００３４】
図１０は、僅かな回数の設計繰返しの後に、得られる、フィルタ２１２、２１４の適切なペアの複素周波数応答を示す。必要な減衰テンプレートは、破線で示される。応答は、（±１ＭＨｚを越えた周波数で１００ｄＢを越える）テンプレートの境界の範囲内で充分なストップバンド（ｓｔｏｐｂａｎｄ）減衰を有する、２０ｋＨｚ〜１８０ｋＨｚの通過帯域にわたって極めて小さいリップルを示す。このような応答は、フィルタ２１２、２１４に、最小の歪で所望信号を渡すこと、充分な減衰を隣接するおよび交互のチャンネル干渉に適用すること、及びシグマ‐デルタ変調器２０６によって生成された高周波ノイズの大部分を除去することを可能とする。
【００３５】
上述の受信機アーキテクチャは、第二世代セルラーシステム（例えば、ＧＳＭ、ＡＭＰＳ、ＩＳ１３６およびＰＤＣ１９００）およびコードレス・システム（例えば、ＤＥＣＴおよびブルートゥース）を含む、公知のニア・ゼロＩＦ多相アーキテクチャのそれにも同様に適用できる。これらの適用の場合、有効な電力削減を、達成することができる。このアーキテクチャは、ＣＤＭＡ／ＴＤＭＡ共有のマルチモード能力を有する受信機に対してさえより有効である。特定の具体例として、一適用例は、ＩＦがゼロおよび１００ｋＨｚの間で切替わるデュアルモードＵＭＴＳ／ＧＳＭ受信機である。他の適用例（例えば、ＣＤＭＡ２０００／ＩＳ９５／ＩＳ１３６／ＡＭＰＳ受信機）も、可能である。
【図面の簡単な説明】
【図１】上述の公知の低ＩＦ受信機アーキテクチャのブロック図である。
【図２】本発明に従って製作された低ＩＦ受信機アーキテクチャのブロック図である。
【図３】図２のアーキテクチャにおけるイメージ除去フィルタの周波数（ｆ）（ｋＨｚ単位）に対する減衰（Ａ）（ｄＢ単位）を示すグラフである。
【図４】図２のアーキテクチャにおけるチャネル・フィルタの周波数（ｆ）（ｋＨｚ単位）に対する減衰（Ａ）を示すグラフである。
【図５】チャネル・フィルタの出力での信号の周波数（ｆ）（ｋＨｚ単位）に対する振幅（Ａ）を示すグラフである。
【図６】直交位相再構成フィルタの周波数（ｆ）（ｋＨｚ単位）に対する減衰（Ａ）を示すグラフである。
【図７】一対のＦＩＲフィルタによって実信号から生成される複素信号の周波数（ｆ）（ｋＨｚ単位）に対する振幅（Ａ）を示すグラフである。
【図８】等化および復調の直前の信号の周波数（ｆ）（ｋＨｚ単位）に対する振幅（Ａ）を示すグラフである。
【図９】図２の受信機アーキテクチャに対する信号電力（Ｓ）（ｄＢｍ単位）に対するシミュレートされたビット・エラー・レート（ＢＥＲ）のグラフである。
【図１０】組み合わせられたチャネル・フィルタおよび直交位相再構成フィルタの周波数（ｆ）（ｋＨｚ単位）に対する減衰（Ａ）を示すグラフである。
【符号の説明】
１０２　　 アンテナ
１１６　　 ハイパス・フィルタ
１１８　　 デジタル化ブロック
２０２　　 イメージ除去フィルタ
２２０　　 ローパス・ベースバンド・フィルタ
Ａ　　　　減衰
ｆ　　　 周波数
ＢＥＲ　　 ビット・エラー・レート
Ｓ　　　　信号電力
【図１】
2004514315.tif 000003
【図２】
2004514315.tif 000004
【図３】
2004514315.tif 000005
【図４】
2004514315.tif 000006
【図５】
2004514315.tif 000007
【図６】
2004514315.tif 000008
【図７】
2004514315.tif 000009
【図８】
2004514315.tif 000010
【図９】
2004514315.tif 000011
【図１０】
2004514315.tif 000012
【国際公開パンフレット】
2004514315.tif 000013
2004514315.tif 000014
2004514315.tif 000015
2004514315.tif 000016
2004514315.tif 000017
2004514315.tif 000018
2004514315.tif 000019
2004514315.tif 000020
2004514315.tif 000021
2004514315.tif 000022
2004514315.tif 000023
2004514315.tif 000024
2004514315.tif 000025
2004514315.tif 000026
2004514315.tif 000027
2004514315.tif 000028
2004514315.tif 000029
2004514315.tif 000030
【国際公開パンフレット（コレクトバージョン）】
2004514315.tif 000031
【国際調査報告】
2004514315.tif 000032
2004514315.tif 000033